【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
無線通信システムにおいて２つ以上の信号を伝送する方法であって、該方法は、
複数のシンボルを第１のレイヤ信号配置および第２のレイヤ信号配置に割り当てることであって、該第１のレイヤ信号配置は、ベースレイヤ信号を参照し、該第２のレイヤ信号配置は、強化レイヤ信号を参照する、ことと、
該第１のレイヤ信号配置および該第２のレイヤ信号配置の該複数のシンボルを変調することであって、該第２のレイヤ信号配置の該複数のシンボルは、受信器によって提供される最適な回転角に基づいて決定された回転角によって回転される、ことと、
該変調されたシンボルを該受信器に伝送することと
を含み、該複数のシンボルを変調するために使用される構成情報が、制御メッセージにおいて該受信器に提供され、該構成情報は、該第２のレイヤ信号配置の該複数のシンボルが回転する該回転角が、該制御メッセージ内に含まれるか否かを示すインジケータを含み、該インジケータが、該回転角が該制御メッセージ内に含まれる場合には該回転角をさらに含む、方法。
【請求項２】
前記制御メッセージは、制御チャネルを介して伝送される、請求項１に記載の方法。
【請求項３】
前記構成情報は、前記複数のシンボルの変調が強化されることを示すデータを含む、請求項１に記載の方法。
【請求項４】
前記回転角が、前記強化レイヤ信号の初期参照位相が変調される程度を示す、請求項１に記載の方法。
【請求項５】
前記制御メッセージが、
前記第１のレイヤ信号配置および前記第２のレイヤ信号配置がどのように変調され、スケール化されるかを示すために使用される変調セグメントと、
該第２のレイヤ信号配置がどのように強化されるかを示すために使用される変調セグメントと
を備える、請求項１に記載の方法。
【請求項６】
無線通信システムにおいて２つ以上の信号を伝送する装置であって、該システムは、
複数のシンボルを第１のレイヤ信号配置および第２のレイヤ信号配置に割り当てる第１の論理ユニットであって、該第１のレイヤ信号配置は、ベースレイヤ信号を参照し、該第２のレイヤ信号配置は、強化レイヤ信号を参照する、第１の論理ユニットと、
該第１のレイヤ信号配置および該第２のレイヤ信号配置の該複数のシンボルを変調する第２の論理ユニットであって、該第２のレイヤ信号配置の該複数のシンボルは、受信器によって提供される最適な回転角に基づいて決定された回転角によって回転される、第２の論理ユニットと、
該変調されたシンボルを該受信器に伝送する第３の論理ユニットと
を含み、該複数のシンボルを変調するために使用される構成情報が、制御メッセージにおいて該受信器に提供され、該構成情報は、該第２のレイヤ信号配置の該複数のシンボルが回転する該回転角が、該制御メッセージ内に含まれるか否かを示すインジケータを含み、該インジケータが、該回転角が該制御メッセージ内に含まれる場合には該回転角をさらに含む、装置。
【請求項７】
前記制御メッセージは、制御チャネルを介して伝送される、請求項６に記載の装置。
【請求項８】
前記構成情報は、前記複数のシンボルの変調が強化されることを示すデータをさらに含む、請求項６に記載の装置。
【請求項９】
前記回転角が、前記強化レイヤ信号の初期参照位相が変調される程度を示す、請求項６に記載の装置。
【請求項１０】
前記制御メッセージが、前記第１のレイヤ信号配置および前記第２のレイヤ信号配置がどのように変調され、スケール化されるかを示すために使用される変調セグメントをさらに含む、請求項６に記載の装置。
【請求項１１】
前記制御メッセージが、前記第２のレイヤ信号配置がどのように強化されるかを示すために使用される変調セグメントを備える、請求項６に記載の装置。
【手続補正２】
【補正対象書類名】明細書
【補正対象項目名】００１４
【補正方法】変更
【補正の内容】
【００１４】
上述した一般的な説明と本発明の詳細な説明は、例示的なものであり、本発明を具体的に説明するために提供されたものである。
例えば、本発明は以下の項目を提供する。
（項目１）
無線通信システムでシンボルを割り当てる方法において、
一つ以上の使用者から一つ以上のデータストリームを受信する段階と；
上記一つ以上のデータストリームを一つ以上のグループにグルーピングし、各グループが一つ以上のデータストリームを含む段階と；
データストリームの各グループを多段でプリコーディングする段階と；
プリコーディングされたシンボルを割り当てる段階と；を含むシンボル割り当て方法。
（項目２）
上記データストリームの各グループは、独立的にプリコーディングされることを特徴とする項目１に記載のシンボル割り当て方法。
（項目３）
上記データストリームの各グループは、独立回転マトリックスを用いて独立的にプリコーディングされることを特徴とする項目２に記載のシンボル割り当て方法。
（項目４）
上記データストリームの各グループは、一緒にプリコーディングされることを特徴とする項目１に記載のシンボル割り当て方法。
（項目５）
上記データストリームの各グループは、単一回転マトリックスを用いて一緒にプリコーディングされることを特徴とする項目４に記載のシンボル割り当て方法。
（項目６）
上記多段でプリコーディングする段階は、独立拡散マトリックスを各グループに適用する段階を含むことを特徴とする項目１に記載のシンボル割り当て方法。
（項目７）
上記プリコーディングは、位相調節または振幅調節の少なくとも一つを含むことを特徴とする項目１に記載のシンボル割り当て方法。
（項目８）
上記無線通信システムは、直交周波数分割マルチプレキシング（ＯＦＤＭ）システム、直交周波数分割多重アクセス（ＯＦＤＭＡ）システム、マルチキャリアコード分割マルチプレキシング（ＭＣ−ＣＤＭ）またはマルチキャリアコード分割多重アクセス（ＭＣ−ＣＤＭＡ）のうち一つであることを特徴とする項目１に記載のシンボル割り当て方法。
（項目９）
上記割り当てられたシンボルを逆高速フーリエ変換（ＩＦＦＴ）または逆離散フーリエ変換（ＩＤＦＴ）を用いて変調する段階をさらに含むことを特徴とする項目１に記載のシンボル割り当て方法。
（項目１０）
無線通信システムで階層変調信号配置（ｃｏｎｓｔｅｌｌａｔｉｏｎ）を行う方法において、
異なるビットで異なる信号配置点を表現するビット−ツー−シンボル（ｂｉｔ−ｔｏ−ｓｙｍｂｏｌ）マッピング規則によって多数のシンボルを割り当てる段階を含み、
上記マッピング規則は、最も近い２個のシンボルの間に一つまたはそれ以下のビット差を表すことを特徴とする階層変調信号配置遂行方法。
（項目１１）
上記多数のシンボルは、異なる初期変調位相を有することを特徴とする項目１０に記載の階層変調信号配置遂行方法。
（項目１２）
上記階層変調信号配置は、一つの基本層信号配置及び一つ以上の補強層信号配置を含むことを特徴とする項目１０に記載の階層変調信号配置遂行方法。
（項目１３）
上記補強層に適用されたマッピング規則は、各基本層のシンボル位置に基づいた可能な全ての補強層マッピング規則のプール（ｐｏｏｌ）から選択されることを特徴とする項目１２に記載の階層変調信号配置遂行方法。
（項目１４）
上記階層変調信号配置は、一つの基本層信号配置及び一つ以上の補強層信号配置を含み、上記マッピング規則は、ビット−ツー−シンボルマッピング規則によって表現されることを特徴とする項目１０に記載の階層変調信号配置遂行方法。
（項目１５）
インターリービングまたは連結（ｃｏｎｃａｔｅｎａｔｉｎｇ）技術を用いて基本層のためのビットと補強層のためのビットをマルチプレキシングする段階をさらに含むことを特徴とする項目１０に記載の階層変調信号配置遂行方法。
（項目１６）
上記シンボルをグルーピングし、各グループが同一の信号強さを有する段階と；
他のグループに適用されたビット−ツー−シンボルマッピング規則にしたがってマッピング規則のプール（ｐｏｏｌ）から各グループを選択する段階と；をさらに含むことを特徴とする項目１０に記載の階層変調信号配置遂行方法。
（項目１７）
変調方式は、ＰＳＫ（ｐｈａｓｅ  ｓｈｉｆｔ  ｋｅｙｉｎｇ）、回転ＰＳＫ、ＱＰＳＫ（ｑｕａｄｒａｔｕｒｅ  ｐｈａｓｅ  ｓｈｉｆｔ  ｋｅｙｉｎｇ）、回転ＱＰＳＫ、８−ＰＳＫ、回転８−ＰＳＫ、１６ＱＡＭ（ｑｕａｄｒａｔｕｒｅ  ａｍｐｌｉｔｕｄｅ  ｍｏｄｕｌａｔｉｏｎ）及び回転１６ＱＡＭを含むことを特徴とする項目１０に記載の階層変調信号配置遂行方法。
（項目１８）
上記ビット−ツー−シンボルマッピング規則は、グレーマッピング規則であることを特徴とする項目１０に記載の階層変調信号配置遂行方法。
（項目１９）
無線通信システムで二つ以上の信号を送信する方法において、
基本層信号である第１信号配置及び補強層信号である第２信号配置に多数のシンボルを割り当てる段階と；
上記第１信号配置及び第２信号配置の多数のシンボルを変調する段階と；
上記変調されたシンボルを送信する段階と；を含む信号送信方法。
（項目２０）
上記基本層信号及び上記補強層信号は、同一の初期変調及び伝送位相を有することを特徴とする項目１９に記載の信号送信方法。
（項目２１）
上記基本層信号及び上記補強層信号は、異なる初期変調及び伝送位相を有することを特徴とする項目１９に記載の信号送信方法。
（項目２２）
上記基本層信号及び補強層信号は、同一のビット−ツー−シンボルマッピング規則を有することを特徴とする項目１９に記載の信号送信方法。
（項目２３）
上記基本層信号及び補強層信号は、異なるビット−ツー−シンボルマッピング規則を有することを特徴とする項目１９に記載の信号送信方法。
（項目２４）
上記変調されて送信されたシンボルは、それぞれの補強層信号配置が基本層ビット−ツー−シンボルマッピング規則及び他の補強層ビット−ツー−シンボルマッピング規則のためのビット−ツー−シンボルマッピング規則に基づくビット−ツー−シンボルマッピング規則を適用することを特徴とする項目１９に記載の信号送信方法。